(57)【特許請求の範囲】
【請求項１】
一端に開口を有し他端が閉塞された試料収納用の容器本体と、前記開口を密閉状態に封止する、樹脂フィルムに金属箔をラミネートしてなる封止用シートと、前記封止用シート上に接着層を介して積層接着された磁性体シートと、前記磁性体シート上に接着され、ＩＣタグを収納したＩＣタグ収納体とを備え、前記磁性体シートを含む前記ＩＣタグ収納体は前記接着層の部分から剥離可能に構成されてなり、
前記容器本体は、前記開口の外周囲に外方へ突出してリング状に形成したフランジ部を有し、前記封止用シートは前記フランジ部の上端面に接着され、前記ＩＣタグは、前記フランジ部の平面形状に対応してリング状に成形された発電兼用のアンテナコイル及び前記アンテナコイルに接続されたＩＣチップを有し、前記ＩＣタグ収納体は、前記アンテナコイルの平面形状に対応してドーナツ板状に形成され、かつ前記フランジ部の上端面に位置する前記封止用シートの上面箇所に前記磁性体シートが接着層を介して接着されるとともに前記アンテナコイルが実装される第１基板部及び前記第１基板部の周縁に該第１基板部から外方へ一体に突出して形成され前記ＩＣチップが実装される第２基板部と、前記アンテナコイルを密封状態に覆うように前記第１基板部に固定されるドーナツ状の第１カバー部及び前記ＩＣチップを密封状態に覆うように前記第２基板部に固定される第２カバー部を有するカバー部材とを備えることを特徴とする試料収納容器。
【請求項２】
前記第２基板部と前記第２カバー部は前記容器本体の転がり防止部を兼ねることを特徴とする請求項１記載の試料収納容器。
【請求項３】
前記ドーナツ状第１カバー部の中心穴部に臨む前記封止用シートの外表面に試料注入用の注射針結合部材が設けられていることを特徴とする請求項１記載の試料収納容器。
【請求項４】
一端に開口を有し他端が閉塞された採血用の容器本体と、前記開口を密閉状態に封止する、樹脂フィルムに金属箔をラミネートしてなる封止用シートと、前記封止用シート上に接着層を介して積層接着された磁性体シートと、前記磁性体シート上に接着され、ＩＣタグを収納したＩＣタグ収納体と、前記ＩＣタグ収納体を含む前記容器本体の先端部分が係脱可能に嵌合されるホルダーと、前記ホルダーの先端部に装着され前記封止用シートを貫通して前記容器本体内に連通する採血針とを備え、前記磁性体シートを含む前記ＩＣタグ収納体は前記接着層の部分から剥離可能に構成されてなり、
前記容器本体は、前記開口の外周囲に外方へ突出してリング状に形成したフランジ部を有し、前記封止用シートは前記フランジ部の上端面に接着され、前記ＩＣタグは、前記フランジ部の平面形状に対応してリング状に成形された発電兼用のアンテナコイル及び前記アンテナコイルに接続されたＩＣチップを有し、前記ＩＣタグ収納体は、前記アンテナコイルの平面形状に対応してドーナツ板状に形成され、かつ前記フランジ部の上端面に位置する前記封止用シートの上面箇所に前記磁性体シートが接着層を介して接着されるとともに前記アンテナコイルが実装される第１基板部及び前記第１基板部の周縁に該第１基板部から外方へ一体に突出して形成され前記ＩＣチップが実装される第２基板部と、前記アンテナコイルを密封状態に覆うように前記第１基板部に固定されるドーナツ状の第１カバー部及び前記ＩＣチップを密封状態に覆うように前記第２基板部に固定される第２カバー部を有するカバー部材とを備えることを特徴とする採血用容器。
【請求項５】
前記第２基板部と前記第２カバー部は前記容器本体の転がり防止部を兼ねることを特徴とする請求項４記載の採血用容器。
【請求項６】
前記ドーナツ状第１カバー部の中心穴部に臨む前記封止用シートの外表面に前記採血針の基部が気密かつ水密に貫通され、かつ前記採血針の基部が抜き取られた時の貫通孔が自動的に閉鎖される物性の採血針結合部材が設けられていることを特徴とする請求項４記載の採血用容器。
【発明の詳細な説明】
【技術分野】
【０００１】
本発明は、医療用検査またはゲノム解析などに用いられる血液や尿などの試料を採取収納し保存するのに好適な試料収納容器及び採血針を組み合わせてなる採血用容器に関し、特に容器内に収納された試料に関する情報の書き込み及び読み出しを非接触で行い得るＩＣタグを備えた試料収納容器及び採血用容器の改良に関するものである。
【背景技術】
【０００２】
病院や診療所等において、患者の病気診断または検診者の健康診断に際しては、これら患者または検診者から採取した血液、尿、便、体液その他の検体試料を分析し検査する必要がある。
一方、採取した検体試料の保管には、プラスチックまたはガラスからなる専用の試料収納容器が用いられ、さらに、患者または検診者の氏名、年齢、性別、検査項目その他の検査に関する所要事項を記入した検査依頼票またはバーコードを印刷したラベルを容器に貼り付け、この検査依頼票またはバーコードラベルに基づいて容器を含めた検体の識別及び管理を行うようにしている。
【０００３】
また、最近では、上記検査依頼票などのラベルを用いた方式のものに代えて、多量の情報を記憶できるＩＣタグを試料収納容器に装着し、このＩＣタグを利用して、容器を含めた検体を識別し管理するようにしている（例えば特許文献１参照）。
【特許文献１】特開２００５−２５７５７３号公報
【発明の開示】
【発明が解決しようとする課題】
【０００４】
しかしながら、検査依頼票などのラベルを用いた従来の試料収納容器では、ラベルへの所要事項の記入やラベルの容器への貼り付け作業が必要になるため、これらのラベルの作成に時間がかかり、コスト高になるほか、容器及び検体がどの患者または検診者のものかを識別しようとすると、容器を保管用のトレイから取り出して確認する必要があるため、その識別作業が煩雑で面倒になるという問題がある。また、試料収納容器に貼り付けられた検査依頼票などのラベルは簡単に剥がすことができないため、ラベルが貼り付けられたまま試料収納容器を廃棄した場合、その廃棄過程でラベルから患者の病気または検診者の検診情報が第三者に漏れたり、盗まれたりする問題がある。
【０００５】
また、従来のＩＣタグを用いた試料収納容器では、ＩＣタグを収納する収納体を設け、このＩＣタグ収納体と容器本体の底部下面に互いに結合される結合部をそれぞれ設け、この両結合部を互いに結合することによりＩＣタグを試料収納容器に装着する方式であるため、容器本体及びＩＣタグ収納体を互いに結合できる専用の構造に形成する必要がある。このため、上記のようなＩＣタグは既存の試料収納容器に利用することができず、コスト高になるという不具合があった。
【０００６】
本発明は上記のような従来の問題点を解決するためになされたもので、何らの構造変更を要することなく既存の容器本体にＩＣタグを容易に装着でき、かつ容器本体からのＩＣタグの取り外しを容易にできるとともに、ＩＣタグの再利用を可能にした試料収納容器及び採血針を組み合わせてなる採血用容器を提供することを目的とする。
【課題を解決するための手段】
【０００７】
上記の目的を達成するために本発明の試料収納容器は、一端に開口を有し他端が閉塞された試料収納用の容器本体と、前記開口を密閉状態に封止する、樹脂フィルムに金属箔をラミネートしてなる封止用シートと、前記封止用シート上に接着層を介して積層接着された磁性体シートと、前記磁性体シート上に接着され、ＩＣタグを収納したＩＣタグ収納体とを備え、前記磁性体シートを含む前記ＩＣタグ収納体は前記接着層の部分から剥離可能に構成されてなり、前記容器本体は、前記開口の外周囲に外方へ突出してリング状に形成したフランジ部を有し、前記封止用シートは前記フランジ部の上端面に接着され、前記ＩＣタグは、前記フランジ部の平面形状に対応してリング状に成形された発電兼用のアンテナコイル及び前記アンテナコイルに接続されたＩＣチップを有し、前記ＩＣタグ収納体は、前記アンテナコイルの平面形状に対応してドーナツ板状に形成され、かつ前記フランジ部の上端面に位置する前記封止用シートの上面箇所に前記磁性体シートが接着層を介して接着されるとともに前記アンテナコイルが実装される第１基板部及び前記第１基板部の周縁に該第１基板部から外方へ一体に突出して形成され前記ＩＣチップが実装される第２基板部と、前記アンテナコイルを密封状態に覆うように前記第１基板部に固定されるドーナツ状の第１カバー部及び前記ＩＣチップを密封状態に覆うように前記第２基板部に固定される第２カバー部を有するカバー部材とを備えることを特徴とする。
【０００８】
請求項２の発明は、請求項１記載の試料収納容器において、前記第２基板部と前記第２カバー部は前記容器本体の転がり防止部を兼ねることを特徴とする。
【０００９】
請求項３の発明は、請求項１記載の試料収納容器において、前記ドーナツ状第１カバー部の中心穴部に臨む前記封止用シートの外表面に試料注入用の注射針結合部材が設けられていることを特徴とする。
【００１０】
請求項４の発明は、採血用容器であって、一端に開口を有し他端が閉塞された採血用の容器本体と、前記開口を密閉状態に封止する、樹脂フィルムに金属箔をラミネートしてなる封止用シートと、前記封止用シート上に接着層を介して積層接着された磁性体シートと、前記磁性体シート上に接着され、ＩＣタグを収納したＩＣタグ収納体と、前記ＩＣタグ収納体を含む前記容器本体の先端部分が係脱可能に嵌合されるホルダーと、前記ホルダーの先端部に装着され前記封止用シートを貫通して前記容器本体内に連通する採血針とを備え、前記磁性体シートを含む前記ＩＣタグ収納体は前記接着層の部分から剥離可能に構成されてなり、前記容器本体は、前記開口の外周囲に外方へ突出してリング状に形成したフランジ部を有し、前記封止用シートは前記フランジ部の上端面に接着され、前記ＩＣタグは、前記フランジ部の平面形状に対応してリング状に成形された発電兼用のアンテナコイル及び前記アンテナコイルに接続されたＩＣチップを有し、前記ＩＣタグ収納体は、前記アンテナコイルの平面形状に対応してドーナツ板状に形成され、かつ前記フランジ部の上端面に位置する前記封止用シートの上面箇所に前記磁性体シートが接着層を介して接着されるとともに前記アンテナコイルが実装される第１基板部及び前記第１基板部の周縁に該第１基板部から外方へ一体に突出して形成され前記ＩＣチップが実装される第２基板部と、前記アンテナコイルを密封状態に覆うように前記第１基板部に固定されるドーナツ状の第１カバー部及び前記ＩＣチップを密封状態に覆うように前記第２基板部に固定される第２カバー部を有するカバー部材とを備えることを特徴とする。
【００１１】
請求項５の発明は、請求項６記載の採血用容器において、前記第２基板部と前記第２カバー部は前記容器本体の転がり防止部を兼ねることを特徴とする。
【００１２】
請求項６の発明は、請求項４記載の採血用容器において、前記ドーナツ状第１カバー部の中心穴部に臨む前記封止用シートの外表面に前記採血針の基部が気密かつ水密に貫通され、かつ前記採血針の基部が抜き取られた時の貫通孔が自動的に閉鎖される物性の採血針結合部材が設けられていることを特徴とする。
【発明の効果】
【００１３】
本発明の試料収納容器及び採血用容器によれば、容器本体の開口を封止する封止用シート上に接着層を介して接着した磁性体シート及びＩＣタグ収納体を接着層の部分から剥離可能に構成にしたので、容器本体に何らの構造的変更を加える必要がなく、既存の容器本体にＩＣタグを容易に装着できるとともに、ＩＣタグ付きの試料収納容器及び採血用容器を低コストで提供でき、しかも、ＩＣタグ収納部を接着層の部分で容器本体から分離できるため、ＩＣタグを再利用することができる。
また、本発明によれば、容器本体の開口を樹脂フィルムに金属箔をラミネートしてなる封止用シートにより封止したので、透湿度及び透気度がゼロで防湿及び防気に優れた試料収納容器を提供できる。しかも、本発明は、封止用シート上に接着層を介して接着した磁性体シートに、ＩＣタグを収納したＩＣタグ収納体を積層接着する構成にしたので、外部のリード／ライト用アンテナから発信された電波はＩＣタグのアンテナコイルを横切って磁性体シートに引き寄せられ吸収されることになり、その結果、封止用シートに金属箔がラミネートされていても、アンテナコイルに到来した電波が金属箔によりアンテナコイル側へ反射されることがなくなるとともに、到来電波の反射に伴う電波の干渉もなくなり、リード／ライト用アンテナとＩＣタグ用アンテナコイルとの間の電波の送受信が確実となって、ＩＣタグへのアクセス及びデータの読み書きを正確に行うことができる。
【００１４】
また、本発明の試料収納容器及び採血用容器によれば、第２基板部と第２カバー部が容器本体の転がり防止部を兼ねる構成にしたので、試料を収納した容器及び採血した容器を横に倒して作業台上においても、これらが作業台上を転がるのを未然に防止できる。
【００１５】
また、本発明の採血用容器によれば、ＩＣタグ収納体を含む容器本体の先端部分にホルダーが係脱可能に嵌合され、このホルダーの先端部に採血針が装着される構成になっているため、採血時にホルダーに対しＩＣタグ収納体を含む容器本体を交換するだけで、同一のホルダー及び採血針を利用して複数本の容器に採血することができる。
【発明を実施するための最良の形態】
【００１６】
（実施の形態１）
次に、本発明にかかる試料収納容器の実施の形態について図面を参照して説明する。なお、本発明の試料収納容器は、以下に説明する実施の形態に限定されるものではない。
【００１７】
図１は本実施の形態１における試料収納容器の斜視図、図２は本実施の形態１における試料収納容器の分解斜視図、図３（Ａ）は本実施の形態１におけるＩＣタグ収納体を構成するカバー部材を裏から見た裏面図、図３（Ｂ）は本実施の形態１におけるＩＣタグのアンテナコイル及びＩＣチップを実装した基板部の平面図、図４は図１の４−４線に沿う拡大断面図、図５は本実施の形態におけるＩＣタグを分離可能にした状態を示す試料収納容器の斜視図である。
【００１８】
この実施の形態における試料収納容器１０は、図１、図２及び図４に示すように、上端に開口１２及びこの開口１２の周囲を囲むように外方へ突出して同心円に形成されたリング状のフランジ部１３を有し、かつ下端が閉塞された、プラスチックまたはガラスからなる試料収納用のチューブ状を呈する容器本体１１と、この容器本体１１の開口１２を密閉状態に封止する封止用シート１４と、この封止用シート１４上に接着層１６を介して積層接着された磁性体シート１５と、この磁性体シート１５上に接着された、ＩＣタグ１７を収納するＩＣタグ収納体１８とを備え、磁性体シート１５を含むＩＣタグ収納体１８は接着層１６の部分から剥離可能に構成されている。
【００１９】
前記封止用シート１４は、ポリエチレン等の樹脂フィルムにアルミ箔や銅箔などの金属箔をラミネートして構成されるもので、図２及び図４に示すように、容器本体１１の開口１２を封止するようにフランジ部１３の上端面１３ａに熱溶融性接着層などにより気密かつ水密に接着されたシール部材１４１と、このシール部材１４１の周縁から外方へ突出して設けられた封止用シート剥離用の突片１４２と、容器本体１１の開口１２と対向するシール部材１４１の外表面に形成された、生ゴム等からなる注射針結合部材１４３を備えている。
また、磁性体シート１５は、鉄やニッケルなどからなる磁性合金をポリエチレン等の樹脂フィルムの表面に蒸着または電着したものから構成される。そして、磁性体シート１５は、前記フランジ部１３の平面形状に対応してドーナツ板状に成形され、さらに、磁性体シート１５の周縁には、前記封止用シート剥離用の突片１４２に対応して突片１５１が磁性体シート１５と同一材質で形成されている。
【００２０】
前記ＩＣタグ１７は、図３に示すように、前記フランジ部１３の平面形状に対応してリング状に成形された所定径を有する発電兼用のアンテナコイル１７１、及びこのアンテナコイル１７１に接続されたＩＣチップ１７２を有している。
また、前記ＩＣタグ収納体１８は、図３及び図４に示すように、アンテナコイル１７１の平面形状に対応してドーナツ板状に形成され、かつフランジ部１３の上端面１３ａに位置する封止用シート１４の上面箇所に磁性体シート１５が接着層１６を介して接着されるとともにアンテナコイル１７１が実装される第１基板部１８１及び前記第１基板部１８１の周縁に該第１基板部１８１から外方へ一体に突出して形成され、ＩＣチップ１７２が実装される第２基板部１８２と、アンテナコイル１７１をその上面側から密封状態に覆うようにして第１基板部１８１に固定されるドーナツ状の第１カバー部１８３ａ及びＩＣチップ１７２をその上面側から密封状態に覆うようにして第２基板部１８２に固定される第２カバー部１８３ｂを有するカバー部材１８３とを備えている。
また、容器本体１１の上端側周から外方へ突出して設けられた第２基板部１８２と第２カバー部１８３ｂは容器本体１１の転がり防止部３０を構成している。
【００２１】
前記ＩＣチップ１５４は、患者または検診者の氏名、年齢、性別、検査項目その他の検査に関する情報及び試料収納容器１０の識別・管理情報を記憶するメモリを備え、このメモリは発電兼用のアンテナコイル１１７１を通して、外部のリード／ライト用アンテナ（図示せず）から非接触でアクセス可能に構成されているとともにメモリへのデータの読み書きが可能になっている。
【００２２】
このようにＩＣタグ１７を収納したＩＣタグ収納体１８が接着層１６により磁性体シート１５上に剥離可能に接着された試料収納容器１０において、その容器本体１１内に血液、尿、体液その他の検体試料を注入する場合は、例えば検体試料を注射器で吸い込ませた後、この注射器の注射針をＩＣタグ収納体１８の中央部開口から差し込んで注射針結合部材１４３に突き刺して貫通させる。この状態で、注射器内の検体試料を容器本体１１内に押し出し注入する。
また、ＩＣタグ１７に検診者の氏名、年齢、性別、検査検体名や検査項目などの情報及び試料収納容器１０の識別情報などを書き込む場合は、図示省略したデータ処理用のコンピュータで作成した上記情報に関するデータを図示省略の通信制御部を通してリード／ライト用アンテナに送る。ここで、リード／ライト用アンテナをＩＣタグ１７に近接させることにより、このリード／ライト用アンテナから送信される信号電波はＩＣタグ１７のアンテナコイル１７１で受信され、その受信信号をＩＣチップ１５４に組み込まれた信号処理部でディジタル信号に変換する。このディジタルデータはＩＣチップ１５４に組み込まれたメモリに記憶される。
【００２３】
上記ＩＣタグ１７へのデータの書き込み時において、リード／ライト用アンテナから発信された電波はＩＣタグ１７のアンテナコイル１７１を横切って磁性体シート１５に引き寄せられ吸収されるため、封止用シート１４に金属箔がラミネートされていても、アンテナコイル１７１に到来した電波が金属箔によりアンテナコイル１７１側へ反射されることがない。その結果、反射に伴う電波の干渉もなくすことができる。
また、図示省略したデータ処理用のコンピュータから通信制御部及びリード／ライト用アンテナＩＣタグ１７を通してアクセス指令がＩＣタグ１７に送信されると、この指令信号はアンテナコイル１７１を通してＩＣチップ１５４で受信され、その指令信号に従ってＩＣチップ１５４のメモリ部から記憶データが読み出され、そのデータはアンテナコイル１７１を通してリード／ライト用アンテナに送信される。そして、データ処理用のコンピュータ側では、リード／ライト用アンテナ及び通信制御部を通して取り込んだＩＣタグ１７の読み取りデータを処理する。
【００２４】
次に、容器本体１１からＩＣタグ１７を収納したＩＣタグ収納体１８を分離する場合について説明する。この場合は、図５に示すように、磁性体シート１５を含めたＩＣタグ収納体１８を接着層１６の部分から剥離する。すなわち、第２基板部１８２と第２カバー部１８３ｂからなる容器本体１１の転がり防止部３０を指先等で摘んで、図５の矢印Ａ方向に引っ張ることでＩＣタグ収納体１８を容器本体１１から容易に分離できる。
【００２５】
このような本実施の形態にかかる試料収納容器１０によれば、容器本体１１の開口１３を封止する封止用シート１４上に接着層１６を介して接着した磁性体シート１５及びＩＣタグ収納体１８を接着層１６の部分から剥離可能に構成にしたので、容器本体１１に何らの構造的変更を加える必要がなく、既存の容器本体１１にＩＣタグ１７を収納したＩＣタグ収納体１８を容易に装着できるとともに、ＩＣタグ付きの試料収納容器を低コストで提供でき、しかも、ＩＣタグ１７を収納したＩＣタグ収納体１８を接着層１６の部分で容器本体１１から分離できるため、ＩＣタグを再利用することができる。
また、本実施の形態にかかる試料収納容器１０によれば、容器本体１１の開口１３を樹脂フィルムに金属箔をラミネートしてなる封止用シート１４により封止したので、透湿度及び透気度がゼロで防湿及び防気に優れた試料収納容器１０を提供できる。しかも、本実施の形態１では、封止用シート１４上に接着層１６を介して接着した磁性体シート１５上に、ＩＣタグ１７を収納したＩＣタグ収納体１８を積層接着する構成にしたので、外部のリード／ライト用アンテナから発信された電波はＩＣタグ１７のアンテナコイル１７１を横切って磁性体シート１５に引き寄せられ吸収されることになるため、封止用シート１４に金属箔がラミネートされていても、外部からアンテナコイルに到来した電波が金属箔によりアンテナコイル側へ反射されることがなくなり、到来電波の反射に伴う電波の干渉もなくなるほか、リード／ライト用アンテナとＩＣタグ用アンテナコイルとの間の電波の送受信が確実となり、ＩＣタグへのアクセス及びデータの読み書きを正確に行うことができる。
【００２６】
また、本実施の形態にかかる試料収納容器１０によれば、容器本体１１の上端側周から外方へ突出して設けられた第２基板部１８２と第２カバー部１８３ｂは容器本体１１の転がり防止部を構成するので、試料を収納した容器本体１１を横に倒して作業台上においても、これらが作業台上を転がるのを未然に防止することができる。
また、本実施の形態によれば、ＩＣタグ１７５を含むＩＣタグ収納体１８と容器本体１１とを容易に分離することができるため、試料収納容器の廃棄過程でＩＣタグ１７５を含むＩＣタグ収納体の管理を確実にでき、これにより、メモリに記憶された情報が第三者に漏れたり、盗まれたりするのを防止できるほか、医療廃棄物と電子部品との分別が容易になるという効果がある。
【００２７】
（実施の形態２）
図６〜図８により本発明にかかる採血用容器の実施の形態２について説明する。
図６は本実施の形態における採血用容器の全体の構成を示す側面図、図７は図６の７−７線に沿う拡大断面図、図８は本実施の形態における採血用容器に適用されるホルダーの斜視図である。
【００２８】
この実施の形態２に示す採血用容器において、上記実施の形態１に示す場合と同一の構成要素には同一符号付して説明すると、採血用容器１００は、図１、図２及び図４に示すように、上端に開口１２及びこの開口２の周囲を囲むように外方へ突出して同心円に形成されたリング状のフランジ部１３を有し、かつ下端が閉塞された、プラスチックまたはガラスからなる試料収納用のチューブ状を呈する容器本体１１と、この容器本体１１の開口１２を密閉状態に封止する封止用シート１４と、この封止用シート１４上に接着層１６を介して積層接着された磁性体シート１５と、この磁性体シート１５上に接着された、ＩＣタグ１７を収納するＩＣタグ収納体１８と、このＩＣタグ収納体１８を含む前記容器本体１１の先端部分に係脱可能に嵌合されるホルダー１９と、このホルダー１９の先端部に装着され、かつ封止用シート１４を貫通して容器本体１１内に連通する採血針２０とを備え、前記磁性体シート１５を含むＩＣタグ収納体１８は接着層１６の部分から剥離可能に構成されている。
【００２９】
前記封止用シート１４は、上記実施の形態１に示す場合と同様にポリエチレン等の樹脂フィルムにアルミ箔や銅箔などの金属箔をラミネートしたものからなり、しかも、上記実施の形態１に示す場合と同様の構造と機能を有しているため、その詳細な構成説明は省略する。また、容器本体１１の開口１２と対向する封止用シート１４の中央部の外表面には上記実施の形態１に示す場合と同様に、生ゴム等からなる注射針結合部材１４３が一体に設けられている。
また、前記磁性体シート１５も上記実施の形態１に示す場合と同様の構造と機能を有しているため、その詳細な構成説明は省略する。さらに、前記ＩＣタグ１７及びＩＣタグ収納体１８も上記実施の形態１に示す場合と同様の構造と機能を有しているため、その詳細な構成説明は省略する。また、ＩＣタグ収納体１８は、上記実施の形態１に示す場合と同様に、第２基板部１８２と第２カバー部１８３ｂからなる容器本体１１の転がり防止部３０を備えている。
【００３０】
前記ホルダー１９は、図６〜図８に示すように、上端面が閉鎖され下端が開放されて容器本体挿入開口１９１を有する筒状体を呈し、そして、下端外周には鍔部１９２が外方へ直角に突出して形成されており、さらに、ホルダー１９の外周壁には、前記第２基板部１８２と第２カバー部１８３ｂからなる容器本体１１の転がり防止部が出し入れ可能に案内される案内部１９３がホルダー１９の容器本体挿入開口１９１からホルダー１９の上端面に向け延在して形成されている。
また、ホルダー１９の上端面中央には、図７及び図８に示すように、採血針２０の中空の支持基部２０１が貫通する穴１９４が形成され、さらにホルダー１９の上端面には、上記穴１９４を挟んで一対の採血針取付穴１９５が形成されている。そして、この一対の採血針取付穴１９５には採血針支持部材２１の係合部２１１が係止され、この採血針支持部材２１の内部には、採血針支持部材２１をホルダー１９の上端面に安定して保持するための充填材２２が充填されている。
このように構成した採血針支持部材２１の前記注射針結合部材１４３と対応する中心軸線部には前記採血針２０の支持基部２０１が貫通支持されている。
前記採血針２０は、図７に示すように、中空の支持基部２０１と、この支持基部２０１の上端に連通され、かつ該上端から上方へ直線状に延在する針部２０２と、支持基部２０１の下端に連通され、かつ該下端から下方へ直線状に延在して前記注射針結合部材１４３に貫通状態に刺し込まれる中空の細管２０３とから構成されている。
【００３１】
このような採血用容器１００を用いて採血を行う場合は、図７に示すように、ＩＣタグ収納体１８を含む容器本体１１の先端部分を、容器本体１１の転がり防止部が案内部１９３に案内されるようにしてホルダー１９内に差し込むとともに、採血針２０の細管２０３が注射針結合部材１４３に貫通状態に刺し込まれた状態に保持する。
このようにした採血用容器１００の採血針２０の針部２０２を採血者の静脈に差し込むことにより採血を行う。
【００３２】
上記のような本実施の形態２にかかる採血用容器によれば、ＩＣタグ収納体１８を含む容器本体１１の先端部分にホルダー１９が係脱可能に嵌合され、このホルダー１９の先端部に採血針２０が装着される構成になっているため、採血時にホルダー１９に対しＩＣタグ収納体１８を含む容器本体１１を交換するだけで、同一のホルダー１９及び採血針２０を利用して複数本の容器に採血することができる。
【００３３】
また、本実施の形態２にかかる採血用容器によれば、上記実施の形態１と同様に、容器本体の開口を封止する封止用シート上に接着層を介して接着した磁性体シート及びＩＣタグ収納体を接着層の部分から剥離可能に構成にしたので、容器本体に何らの構造的変更を加える必要がなく、既存の容器本体にＩＣタグを容易に装着できるとともに、ＩＣタグ付きの試料収納容器及び採血用容器を低コストで提供でき、しかも、ＩＣタグを接着層の部分で容器本体から分離できるため、ＩＣタグを再利用することができる。
【００３４】
また、本実施の形態２にかかる採血用容器によれば、上記実施の形態１と同様に、容器本体の開口を樹脂フィルムに金属箔をラミネートしてなる封止用シートにより封止したので、透湿度及び透気度がゼロで防湿及び防気に優れた採血用容器を提供できる。しかも、本実施の形態２では、上記実施の形態１と同様に、封止用シート上に接着層を介して接着した磁性体シート上に、ＩＣタグを収納したＩＣタグ収納体を積層接着する構成にしたので、外部のリード／ライト用アンテナから発信された電波はＩＣタグのアンテナコイルを横切って磁性体シートに引き寄せられ吸収されることになり、その結果、封止用シートに金属箔がラミネートされていても、アンテナコイルに到来した電波が金属箔によりアンテナコイル側へ反射されることがなくなるとともに、到来電波の反射に伴う電波の干渉もなくなり、リード／ライト用アンテナとＩＣタグ用アンテナコイルとの間の電波の送受信が確実となって、ＩＣタグへのアクセス及びデータの読み書きを正確に行うことができる。
【００３５】
さらに、本実施の形態２にかかる採血用容器によれば、上記実施の形態１と同様に、第２基板部と第２カバー部が容器本体の転がり防止部を兼ねる構成にしたので、試料を収納した容器及び採血した容器を横に倒して作業台上においても、これらが作業台上を転がるのを未然に防止できる。
【００３６】
なお、本発明における容器本体１１の形状及びＩＣタグ１７の形状は上記実施の形態に示すものに限定されるものではない。
また、本発明は、特許請求の範囲に記載された試料収納容器の要旨を逸脱しない範囲において、具体的な構成、機能、作用効果において、他の種々の形態によっても実施することができる。
【図面の簡単な説明】
【００３７】
【図１】本実施の形態１における試料収納容器の斜視図である。
【図２】本実施の形態１における試料収納容器の分解斜視図である。
【図３】（Ａ）は本実施の形態１におけるＩＣタグ収納体を構成するカバー部材を裏から見た裏面図であり、Ｂ）は本実施の形態１におけるＩＣタグのアンテナコイル及びＩＣチップを実装した基板部の平面図である。
【図４】図１の４−４線に沿う拡大断面図である。
【図５】本実施の形態におけるＩＣタグを分離可能にした状態を示す試料収納容器の斜視図である。
【図６】本実施の形態における採血用容器の全体の構成を示す側面図である。
【図７】図６の７−７線に沿う拡大断面図である。
【図８】本実施の形態における採血用容器に適用されるホルダーの斜視図である。
【符号の説明】
【００３８】
１０    試料収納容器
１１    容器本体
１２    開口
１３    フランジ部
１３ａ  上端面
１４    封止用シート
１５    磁性体シート
１６    接着層
１７    ＩＣタグ
１７１  アンテナコイル
１７２  ＩＣチップ
１８    ＩＣタグ収納体
１８１  第１基板部
１８２  第２基板部
１８３  カバー部材
１８３ａ  第１カバー部
１８３ｂ  第２カバー部
１９    ホルダー
２０    採血針
３０    注射針結合部材
１００  採血用容器
【図１】
0004954818.tif 000002
【図２】
0004954818.tif 000003
【図３】
0004954818.tif 000004
【図４】
0004954818.tif 000005
【図５】
0004954818.tif 000006
【図６】
0004954818.tif 000007
【図７】
0004954818.tif 000008
【図８】
0004954818.tif 000009